(57)【要約】【課題】  オゾンランプを利用した脱臭装置において、紫外線ランプの出力を上げると、外部へオゾンが高濃度で排気されて、使用者に対し不安全になるおそれがあること。【解決手段】  少なくとも波長域が２００ｎｍ以下の紫外線を照射すると共に、波長域が２００ｎｍ以下の紫外線の一部を吸収する皮膜をそのガラス管表面に形成した紫外線ランプ１１と、金属または金属酸化物を有する触媒フィルタ１２とを備え、前記皮膜の材料がＺｒＯ2、ＣｅＯ2、ＭｇＯの内、少なくとも一つから成る脱臭装置１とした。これにより、２００ｎｍ以下の短波長の紫外線は、その一部をガラス管表面で吸収され、２００ｎｍ以上の紫外線は吸収されずに外部へ照射されることとなり、オゾンが高濃度で放出されて不安全になることもなく、オゾンと紫外線を利用した脱臭及び除菌を効果的に行う脱臭装置が提供できるようになる。【選択図】  図１
2005052714.tif 000002
【特許請求の範囲】
【請求項１】
少なくとも波長域が２００ｎｍ以下の紫外線を照射すると共に、波長域が２００ｎｍ以下の紫外線の一部を吸収する皮膜をそのガラス管表面に形成した紫外線ランプと、金属または金属酸化物を有する触媒フィルタとを備え、前記皮膜の材料がＺｒＯ2、ＣｅＯ2、ＭｇＯの内、少なくとも一つから成ることを特徴とする脱臭装置。
【請求項２】
少なくとも波長域が２００ｎｍ以下の紫外線を照射すると共に、波長域が２００ｎｍ以下の紫外線の一部を吸収する皮膜をそのガラス管表面に形成した紫外線ランプと、金属または金属酸化物を有する触媒フィルタとを備え、前記皮膜の材料がＴｉＯ2から成ることを特徴とする脱臭装置。
【請求項３】
皮膜の膜厚が０．０５〜５μｍであることを特徴とする請求項１または２に記載の脱臭装置。
【請求項４】
紫外線ランプが無電極型であることを特徴とする請求項１〜３のいずれか１項に記載の脱臭装置。
【請求項５】
触媒フィルタが、Ｍｎ、Ｃｕ、Ｃｏの内、少なくとも一つから成る金属酸化物、またはＰｄ、Ｐｔの内、少なくとも一つから成る金属を有することを特徴とする請求項１〜４のいずれか１項に記載の脱臭装置。
【請求項６】
触媒フィルタを、紫外線ランプの風下に設置したことを特徴とする請求項１〜５のいずれか１項に記載の脱臭装置。
【請求項７】
触媒フィルタと紫外線ランプとの距離を、２０ｍｍ以内としたことを特徴とする請求項６に記載の脱臭装置。
【請求項８】
紫外線ランプの風上または風下または前記紫外線ランプに対向する脱臭装置内表面に、光触媒部材を形成したことを特徴とする請求項１〜７のいずれか１項に記載の脱臭装置。
【請求項９】
請求項１〜８のいずれか１項に記載の脱臭装置を搭載したことを特徴とする冷蔵庫。
【発明の詳細な説明】
【技術分野】
【０００１】
本発明は、業務用設備あるいは冷蔵庫等の家庭用電化製品に対応した脱臭装置に関するものである。
【背景技術】
【０００２】
近年、空気清浄機に代表される空質環境の脱臭、除菌や冷蔵庫のように庫内に保存される食品から発生する臭気の脱臭、除菌を目的として、各種手法を用いた脱臭装置の開発がさかんである。例えば、触媒フィルタによる吸着、分解作用による脱臭と共に、オゾン発生手段によってオゾンを発生させその強力な酸化作用を利用して脱臭及び除菌を行う技術がある。
【０００３】
従来のオゾン発生手段を利用した脱臭装置では、空気清浄化装置として、冷陰極あるいは熱陰極タイプの紫外線ランプを搭載したもの（例えば、特許文献１参照）がある。
【０００４】
図４は、特許文献１に記載された従来の脱臭装置の側面の断面図を示すものである。図４に示すように、脱臭装置１は、吸気口２及び排気口３を設けたケーシング４と、このケーシング４に内蔵した２００ｎｍ以下の波長を含む紫外線を照射する直管型の冷陰極管タイプの紫外線ランプ５、６と、２本の紫外線ランプ５、６の各々の四方を包囲するように直方体型筒状に配置された光触媒部材７及び通気性を有する光触媒部材８と、光触媒部材７，８の風下に設けたクロスフローファンよりなる送風機９と、光触媒部材７，８の風上に設けた活性炭を担持した吸着脱臭部材１０より構成される。
【０００５】
以上のように構成された脱臭装置について、以下その動作を説明する。送風機９の運転によって、臭気成分を含んだ空気が吸気口２から流入する。そして、活性炭を担持した吸着脱臭部材９で一部の臭気成分は吸着し除去される。そして、一部の臭気が除去された空気は、光触媒部材７、８を通過する。このとき、紫外線ランプ５、６から発する紫外光によって光触媒部材７、８は励起されてＯ2-、あるいはＯＨラジカルを生成し、これらの活性種が臭気成分を酸化分解する。また、紫外線ランプ５、６は波長２００ｎｍ以下の紫外光を照射するためオゾンを発生する。このため、光触媒の作用にオゾンの酸化分解作用が加えられ、臭気成分の分解が促進される。そして、発生したオゾンは光触媒部材７、８の還元作用によって分解されるため、排気口３からは無害で臭気成分が分解除去された清浄な空気が排気される。
【特許文献１】特開平１１−２７６５６３号公報
【発明の開示】
【発明が解決しようとする課題】
【０００６】
しかしながら、上記従来の脱臭装置の構成では、紫外線ランプ５、６のガラス管の材料は石英ガラスで形成されているため、脱臭性能を向上するために紫外線出力を上げると、２００ｎｍ以上の波長域の紫外線と共に２００ｎｍ以下の紫外線の強度も増加しオゾン発生量が増加する。このため、光触媒部材を紫外線ランプの風下に設けていても、脱臭性能を上げる為に紫外線強度を高めると風量、温度条件によっては脱臭装置から排出されるオゾン濃度が増加し、安全上危険になる可能性があるという欠点があった。
【０００７】
本発明は、上記従来の課題を解決するもので、脱臭及び除菌の性能を向上するために、紫外線ランプの出力を上げても脱臭装置の外部へ高濃度のオゾンが排気されることがなく、使用者に対して安全であり、オゾンと紫外線を利用した脱臭及び除菌を効果的に行うことができる脱臭装置を提供することを目的とする。
【０００８】
本発明の他の目的は、触媒フィルタを効果的に再生し、脱臭スピードの性能を長期間維持することができることである。
【０００９】
さらに、本発明の他の目的は、長期使用においても紫外線強度が低下することがなく脱臭性能を長期間確保することができることである。
【００１０】
さらに、本発明の他の目的は、保存される食材から発生する臭気を脱臭すると共に浮遊菌や庫内壁面、冷却風路に付着した菌、臭いを効果的に除去し、オゾン臭を感じることのない冷蔵庫を提供することを目的とする。
【課題を解決するための手段】
【００１１】
前記従来の課題を解決するために、本発明の脱臭装置は、少なくとも波長域が２００ｎｍ以下の紫外線を照射すると共に、波長域が２００ｎｍ以下の紫外線の一部を吸収する皮膜をそのガラス管表面に形成した紫外線ランプと、金属または金属酸化物を有する触媒フィルタとを備え、前記皮膜の材料がＺｒＯ2、ＣｅＯ2、ＭｇＯの内、少なくとも一つから成ることを特徴としたものである。
【００１２】
これによって、紫外線ランプのランプ表面にＺｒＯ2、ＣｅＯ2、ＭｇＯといった無機金属酸化物を形成しているのでランプ管内で発生する紫外線の内、２００ｎｍ以下の短波長の紫外線はその一部をランプ管表面で吸収され、２００ｎｍ以上の紫外線は吸収されずにランプ管外へ照射される。したがって、紫外線ランプの出力を上げても２００ｎｍ以下の短波長の紫外線に起因するオゾンが高濃度でランプ管外へ放出されることなく、２００ｎｍ以上の紫外線強度が増加するという作用を有する。
【００１３】
また、本発明の脱臭装置は、少なくとも波長域が２００ｎｍ以下の紫外線を照射すると共に、波長域が２００ｎｍ以下の紫外線の一部を吸収する皮膜をそのガラス管表面に形成した紫外線ランプと、金属または金属酸化物を有する触媒フィルタとを備え、前記皮膜の材料がＴｉＯ2から成ることを特徴としたものである。
【００１４】
これによって、２００ｎｍ以下の短波長の紫外線はその一部をランプ管表面で吸収されると共に、ランプ管内で照射された紫外線によって皮膜部分においてＯ2-、あるいはＯＨラジカルを生成し、臭気成分や浮遊菌を酸化分解する。したがって、さらに脱臭及び除菌性能を向上することができる。
【発明の効果】
【００１５】
本発明の脱臭装置は、脱臭及び除菌の性能を向上するために、紫外線ランプの出力を上げても脱臭装置の外部へ高濃度のオゾンが排気されることがなく、使用者に対して安全で、オゾンと紫外線を利用した脱臭及び除菌を効果的に行うことができる。
【発明を実施するための最良の形態】
【００１６】
第１の発明は、少なくとも波長域が２００ｎｍ以下の紫外線を照射すると共に、波長域が２００ｎｍ以下の紫外線の一部を吸収する皮膜をそのガラス管表面に形成した紫外線ランプと、金属または金属酸化物を有する触媒フィルタとを備え、前記皮膜の材料がＺｒＯ2、ＣｅＯ2、ＭｇＯの内、少なくとも一つから成ることを特徴とする脱臭装置とすることにより、ランプ表面にＺｒＯ2、ＣｅＯ2、ＭｇＯ等の無機金属酸化物を形成しているのでランプ管内で発生する紫外線の内、２００ｎｍ以下の短波長の紫外線はその一部をランプ管表面で吸収され、２００ｎｍ以上の紫外線は吸収されずにランプ管外へ照射される。
【００１７】
これによって、紫外線ランプの出力を上げても２００ｎｍ以下の短波長の紫外線に起因するオゾンが高濃度でランプ管外へ放出されることなく、２００ｎｍ以上の紫外線強度が増加するという作用を有する。したがって、外部へ高濃度のオゾンが排気されることがなく、使用者に対して安全であり、オゾンと紫外線を利用した脱臭及び除菌を効果的に行うことができる。
【００１８】
また、ＺｒＯ2、ＣｅＯ2、ＭｇＯは、製造工程上石英ガラスに対して薄膜を形成し易いため、２００ｎｍ以下の短波長紫外線の吸収率と２００ｎｍ以上の長波長の紫外線の透過率の制御が可能となる。したがって、さらにオゾン濃度と紫外線強度について用途に応じた脱臭装置を効率的に生産することができる。
【００１９】
第２の発明は、少なくとも波長域が２００ｎｍ以下の紫外線を照射すると共に、波長域が２００ｎｍ以下の紫外線の一部を吸収する皮膜をそのガラス管表面に形成した紫外線ランプと、金属または金属酸化物を有する触媒フィルタとを備え、前記皮膜の材料がＴｉＯ2から成ることを特徴とする脱臭装置とすることにより、２００ｎｍ以下の短波長の紫外線はその一部をランプ管表面で吸収されると共に、ランプ管内で照射された紫外線によって皮膜部分においてＯ2-、あるいはＯＨラジカルを生成し、臭気成分や浮遊菌を酸化分解する。したがって、さらに脱臭及び除菌性能を向上することができる。
【００２０】
第３の発明は、特に、第１または第２の発明の皮膜の膜厚を０．０５〜５μｍとすることにより、２００ｎｍ以上の長波長の紫外線強度の低下を抑え、２００ｎｍ以下の短波長の紫外線の一部を吸収し、脱臭装置外部のオゾン濃度を０．０２ｐｐｍ程度に制御することができる。したがって、脱臭装置外部において使用者に対して安全でオゾン臭の影響が小さい上に、長波長の紫外線による効果を損なうことなく効率的に脱臭及び除菌を行うことができる。
【００２１】
第４の発明は、特に、第１〜第３のいずれか１つの発明の紫外線ランプを無電極型としたものであり、ランプ管内に電極を有さないため、電極材料の発光管壁への飛散がなく、ランプ管内の封入物と電極との反応がなく紫外線ランプの耐久性を向上することができる。したがって、長期間の使用においても紫外線強度が低下することがなく脱臭性能を長期間確保することができる。
【００２２】
第５の発明は、特に、第１〜第４のいずれか１つの発明の触媒フィルタが、Ｍｎ、Ｃｕ、Ｃｏの内、少なくとも１つの金属酸化物、もしくはＰｄ、Ｐｔの内、少なくとも１つの金属を有することを特徴とするものであり、メチルメルカプタンや二硫化ジメチルといった硫黄系ガスやトリメチルアミン等のアミン系ガスの臭気成分を物理的あるいは化学的に吸着すると共に、紫外線ランプから発生したオゾンを分解することができる。したがって、一般的な臭気に対して脱臭するスピードを確保できると共に脱臭装置外部のオゾン濃度を低濃度に維持することができる。
【００２３】
第６の発明は、特に、第１〜第５のいずれか１つの発明の触媒フィルタを、紫外線ランプの風下に設置したものであり、紫外線ランプから照射された２００ｎｍ以下の紫外線によって発生するオゾンが紫外線ランプの風下へ流れ、触媒フィルタに分解されずに吸着した臭気成分を分解し触媒フィルタを再生することができる。したがって、触媒フィルタの吸着能力を維持できるため脱臭スピードを長期間維持することができる。
【００２４】
第７の発明は、特に、第６の発明の触媒フィルタと紫外線ランプの距離を、２０ｍｍ以内としたものであり、紫外線ランプから発生したオゾンが分解する前に触媒フィルタに到達するため吸着した臭気をより効果的に分解することができる。したがって、短時間の紫外線ランプの通電でも効率的に触媒フィルタを再生することができる。
【００２５】
第８の発明は、特に、第１〜第７のいずれか１つの発明において、紫外線ランプの風上または風下または脱臭装置内表面に、光触媒部材を形成したものであり、紫外線ランプから照射された紫外線によって光触媒部材が励起され、Ｏ2-、あるいはＯＨラジカルを生成し臭気成分や浮遊菌をさらに酸化分解する。したがって、さらに脱臭及び除菌性能を向上することができる。
【００２６】
第９の発明は、特に、第１〜第８のいずれか１つの発明の脱臭装置を搭載した冷蔵庫を特徴とするものであり、冷蔵庫に保存される食品から発生する硫黄系ガスやアミン系ガスの臭気成分を触媒フィルタによる吸着、オゾンあるいは光触媒による酸化分解によって脱臭すると共に、低濃度のオゾンが冷蔵庫の冷却風路や各室内の壁面まで拡散するため吸着した臭気成分や菌を分解することができる。また、このときオゾン濃度は０．０２ｐｐｍ程度であり使用者に対して不快感を与えない。したがって、使用者に対して安全であり、オゾンと紫外線を利用して冷蔵庫の保存食品から発生する臭気や浮遊菌、壁面に吸着した臭気や菌の脱臭及び除菌を効果的に行うため清潔感の高い冷蔵庫を提供することができる。
【００２７】
以下、本発明の実施の形態について、図面を参照しながら説明する。なお、この実施の形態によって本発明が限定されるものではない。
【００２８】
（実施の形態１）
図１は、本発明の第１の実施の形態における脱臭装置の断面図を、図２は、本発明の第１の実施の形態における脱臭装置に設置した紫外線ランプの断面図を、それぞれ示すものである。
【００２９】
図１において、脱臭装置１内には、紫外線ランプ１１が設置されている。図２に示すように、紫外線ランプ１１のガラス管１３は純度の高い石英ガラスを材料としており、ガラス管１３内には低圧の水銀蒸気とアルゴン、キセノン等の不活性ガスが封入されている。ガラス管１３の表面にはＺｒＯ2から成る膜厚０．１μｍの皮膜１４が形成されている。そして、紫外線ランプ１１外の両端にインバータ回路（図示せず）を通じて高周波高電圧が印加されるようになっている。紫外線ランプ１１の風下には、臭気を除去するための触媒フィルタ１２が設置されており、ハニカム形状のセラミック製基材に活性炭やゼオライト等の物理吸着剤とＭｎＯ2、ＣｕＯの複合無機酸化物から成る化学吸着剤の触媒材料を担持している。
【００３０】
ここで、触媒フィルタ１２と紫外線ランプ１１の距離は２０ｍｍに設定されている。また、紫外線ランプ１１に対向する脱臭装置１の内表面に光触媒部材７が設けられている。光触媒部材７は、シート状のシリカ繊維を基材としており、その表面にＴｉＯ2を形成している。
【００３１】
以上のように構成された脱臭装置について、以下その動作、作用を説明する。
【００３２】
まず、インバータ回路を通じて数十ｋＨｚ且つ数百Ｖ〜数ｋＶの高電圧が紫外線ランプ１１の両端に印加されると、ガラス管１３内で電極から電子が放電して水銀蒸気と衝突することで紫外線が発生する。発生した紫外線はガラス管１３が高純度の石英ガラスで形成されているため、２５４ｎｍや３６５ｎｍの長波長領域の紫外線と共にオゾン発生の為の短波長の１７５ｎｍの紫外線も透過する。そして、ガラス管１３を透過した紫外線は皮膜１４に達する。
【００３３】
このとき、皮膜１４はＺｒＯ2を材料とした膜厚０．１μｍの薄膜であるので、短波長の１７５ｎｍの紫外線を一部吸収し長波長の２５４ｎｍと３６５ｎｍの紫外線はほとんど透過する。このため、従来の構成の紫外線ランプとは異なり、紫外線ランプ１１近傍（ランプから２０ｍｍの距離）で、オゾン濃度は約５ｐｐｍと低濃度を確保でき、２５４ｎｍと３６５ｎｍの紫外線は低下することなく１ｍＷ／ｃｍ2以上の紫外線強度を確保することができる。
【００３４】
これによって、脱臭装置１内表面に設けられた光触媒部材７は非常に強い紫外線エネルギーを受けるため高活性となりＯ2-、あるいはＯＨラジカルを生成して、脱臭装置１内に流入した臭気成分を効率的に光触媒作用で酸化分解することができる。
【００３５】
また、紫外線ランプ１１近傍のオゾンによっても光触媒部材７で分解困難な臭気成分を分解することができる。さらに、紫外線ランプ１１近傍では紫外線のエネルギーと浸透度の高い２５４ｎｍの紫外線が照射されるため脱臭装置１内の浮遊菌を効果的に分解することができる。
【００３６】
そして、光触媒部材７を通過した臭気成分を含んだ空気とオゾンは、触媒フィルタ１２に到達する。触媒フィルタ１２は、ハニカム形状のセラミック基材に活性炭やゼオライト等の物理吸着剤とＭｎＯ2、ＣｕＯの複合無機酸化物から成る化学吸着剤の触媒材料を担持しているため、空気中の臭気成分を素早く物理的に吸着すると共に化学的に吸着分解する。また、空気中のオゾンも触媒フィルタ１２上で分解されるので、脱臭装置１の外部へ排出されるとさらに低濃度化することができる。例えば、脱臭装置１が２５０Ｌ程度の機器内に設置された場合、機器内の平均オゾン濃度は０．０２ｐｐｍ程度になり使用者に対して十分安全な濃度を実現することができる。
【００３７】
また、触媒フィルタ１２は紫外線ランプ１１との距離が２０ｍｍと近傍に設置されている為、触媒フィルタ１２にオゾンが到達した時点ではオゾンはほとんど分解しておらず、触媒フィルタ１２上で分解しきれずに吸着した臭気についても、オゾンにより分解し触媒フィルタ１２を再生することができる。
【００３８】
以上のように、本実施の形態においては、少なくとも２００ｎｍ以下の紫外線を照射し、且つ２００ｎｍ以下の波長域の紫外線の一部を吸収する皮膜を形成した紫外線ランプと、金属もしくは金属酸化物を形成した触媒フィルタを有した脱臭装置とすることにより、ガラス管表面に無機金属酸化物を形成しているのでランプ管内で発生する紫外線の内、２００ｎｍ以下の短波長の紫外線はその一部をランプ管表面で吸収され、２００ｎｍ以上の紫外線は吸収されずにランプ管外へ照射される。これによって、紫外線ランプの出力を上げても２００ｎｍ以下の短波長の紫外線に起因するオゾンが高濃度でランプ外へ放出されることなく、２００ｎｍ以上の紫外線強度が増加するという作用を有する。したがって、外部へ高濃度のオゾンが排気されることがなく、使用者に対して安全であり、オゾンと紫外線を利用した脱臭及び除菌を長期間効果的に行うことができる。
【００３９】
また、本実施の形態の被膜１４の材料は、ＣｅＯ2あるいはＭｇＯとしても同様な薄膜を形成することができ、２００ｎｍ以上の長波長の紫外線強度を低下させることなく、２００ｎｍ以下の短波長紫外線を吸収することができ、同様の効果が得られる。
【００４０】
また、被膜１４の材料をＴｉＯ2にすると、被膜１４の表面でＯ2-、あるいはＯＨラジカルを生成し、これらによる臭気の酸化分解が進むためさらに脱臭性能を向上することができる。
【００４１】
また、本実施の形態においては、被膜１４の膜厚は０．１μｍの場合について説明したが、これに限定されず、脱臭装置を使用する機器の大きさ、風量あるいは温度等の使用条件によって膜厚を０．０５〜０．５μｍの範囲で任意に設定することで、同様の安全性と脱臭性能を実現することができる。
【００４２】
また、本実施の形態では紫外線ランプ１１はガラス管１３の内部に電極を有する冷陰極管型について説明したが、ガラス管１３内部に電極を持たない無電極型にすることにより、電極材料の発光管壁への飛散がなく、ガラス管１３内の封入物と電極との反応がないので、長期間の使用においても紫外線強度が低下することがなく脱臭性能を長期間確保することができ、さらに脱臭装置の長期信頼性を向上することができる。
【００４３】
尚、本実施の形態において、脱臭装置に臭気を送るための送風機等については、特に、説明しなかったが、脱臭装置そのものに送風機等を備えていてもよく、あるいは、脱臭装置を搭載する機器に備えていても支障がないものである。
【００４４】
また、本実施の形態において、波長域が２００ｎｍ以下の紫外線の一部を吸収する皮膜を形成した紫外線ランプについて説明したが、その吸収度合いは、紫外線ランプの大きさ等によっても変わるものである。例えば、照射される波長域が２００ｎｍ以下の紫外線の内、１割から９割程度を皮膜で吸収すればよく、好ましくは８割程度吸収すればよい。
【００４５】
（実施の形態２）
図３は、本発明の第２の実施の形態の冷蔵庫の冷蔵室の断面図である。
【００４６】
図３において、冷蔵室１６の背面及び天面の壁を仕切りにして冷気が流通する冷却風路１７が設けられている。冷却風路１７内には、冷蔵室１６を冷却するための蒸発器１８が設置され、蒸発器１８の下流側には冷却ファン１９が設置されている。
【００４７】
冷却風路１７には、蒸発器１８で冷却した冷気を冷蔵室１６に送り込む吹き出し口２０が蒸発器１８の下流側に設置され、冷蔵室１６の冷気を吸入する吸い込み口２１が上流側に設けられている。そして、紫外線ランプ１２と触媒フィルタ１３と光触媒部材７から構成される脱臭装置１は吹き出し口２０の近傍に設置されている。
【００４８】
以上のように構成された脱臭装置を備えた冷蔵庫について、以下その動作、作用を説明する。
【００４９】
冷蔵庫の圧縮機（図示せず）が運転すると、冷却ファン１８が作動して蒸発器１７で冷却された冷気が冷却風路１６を通じて吹き出し口１９から冷蔵室１５内に流入する。そして、冷蔵室１５内に保存された食品を冷却し、吸い込み口２０から冷蔵室１５内の冷気を吸い込み蒸発器１７へ戻る。このように、冷気が循環して室内の食材を冷蔵保存している。
【００５０】
冷蔵庫に保存される食材からは、にんにくや玉ねぎ等の臭いであるメチルメルカプタン、二硫化メチル、硫化メチルといった硫黄系ガスや魚の腐敗臭であるトリメチルアミンといったアミン系ガスが発生する。
【００５１】
このような臭気成分を含んだ冷気が冷却ファン１８の作動に応じて吸い込み口２０から冷却風路１６を通じて脱臭装置１に流入すると、メチルメルカプタン、二硫化メチル、トリメチルアミンは主として触媒フィルタ１２に吸着する。そして、触媒フィルタ１２では除去し難い硫化メチルは、紫外線ランプ１１から発生したオゾンと光触媒部材７による酸化分解によって除去される。また、脱臭装置１内に流入した浮遊菌についても紫外線ランプ１１から照射される２５４ｎｍの紫外線によって分解される。
【００５２】
脱臭装置１から吹き出し口１９を通じて冷蔵室１５内へ流入するオゾン濃度は０．０２ｐｐｍと低濃度となることから、使用者に対しても安全であり不快感を与えることがない。また、この低濃度のオゾンが冷蔵室１５の壁面や冷却風路１６の内壁まで拡散することで、それらの部位に吸着した臭気成分や付着菌を分解することができる。
【００５３】
以上のように、本実施の形態においては、脱臭装置を冷却風路内あるいは冷蔵室、野菜室、冷凍室のいずれかの室内に備えた冷蔵庫であり、冷蔵庫に保存される食品から発生する硫黄系ガスやアミン系ガスの臭気成分を触媒フィルタによる吸着、オゾンあるいは光触媒による酸化分解によって脱臭すると共に、低濃度のオゾンが冷却風路や各室内の壁面まで拡散するため吸着した臭気成分や菌を分解することができる。また、このときオゾン濃度は０．０２ｐｐｍ程度であり使用者に対して不快感を与えない。したがって、使用者に対して安全であり、オゾンと紫外線を利用して冷蔵庫の保存食品から発生する臭気や浮遊菌、壁面に吸着した臭気や菌の脱臭及び除菌を効果的に行うため清潔感の高い冷蔵庫を提供することができる。
【００５４】
また、本実施の形態では脱臭装置１を冷却風路１６内に設置した場合について説明したが、冷蔵室１５内に設置すると冷却ファン１８の運転に依存されずに脱臭運転を制御することができ、冷蔵庫の庫内負荷や設置環境温度の影響を受けずに安定した脱臭及び除菌性能を得ることができる。
【００５５】
また、本実施の形態では脱臭装置１は吹き出し口１９の近傍に設置する場合について説明したが、吸い込み口近傍に設置すると蒸発器１７からの冷気が直接紫外線ランプ１１に当たらないため、紫外線ランプの耐久性を向上することができる。
【００５６】
また、本実施の形態では脱臭装置１は冷蔵室に設置する場合について説明したが、野菜室や冷凍室に設置しても同様の効果が得られる。
【産業上の利用可能性】
【００５７】
以上のように、本発明にかかる脱臭装置及びこれを搭載した冷蔵庫は、脱臭及び除菌の性能を向上するために紫外線ランプの出力を上げても、脱臭装置の外部へ高濃度のオゾンが排気されることがなく、使用者に対して安全であり、オゾンと紫外線を利用した脱臭及び除菌を効果的に行うことができるので、業務用冷蔵庫、空気清浄機、エアコン、生ごみ処理機等の用途にも適用できる。
【図面の簡単な説明】
【００５８】
【図１】本発明の実施の形態１における脱臭装置の断面図
【図２】本発明の実施の形態１における脱臭装置に設置した紫外線ランプの断面図
【図３】本発明の実施の形態２における冷蔵庫の冷蔵室の断面図
【図４】従来の脱臭装置の断面図
【符号の説明】
【００５９】
１  脱臭装置
７  光触媒部材
１１  紫外線ランプ
１２  触媒フィルタ
１３  ガラス管
１４  被膜
１５  冷蔵室
１６  冷却風路
【図１】
2005052714.tif 000003
【図２】
2005052714.tif 000004
【図３】
2005052714.tif 000005
【図４】
2005052714.tif 000006